(57)【要約】【課題】この発明は、設置や広告の変更などが容易で、上方へ向けた広告の提示を簡単に行うことができる広告シート部材および広告方法を提供することを目的とする。【解決手段】上記の課題を解決するために、この発明の広告シート部材１００は、建造物に固定される広告シート支持部材１と、広告情報が表わされていて広告シート支持部材１に取り付けられる広告シート２０を有し、広告シート２０が水平面に対して４５度未満の角度で設けられるものである。【選択図】図１
2012194488.tif 000002
【特許請求の範囲】
【請求項１】
建造物に固定される広告シート支持部材と、広告情報が表わされていて広告シート支持部材に取り付けられる広告シートを有し、広告シートが水平面に対して４５度未満の角度で設けられる広告シート部材。
【請求項２】
屋根に固定される広告シート支持部材を４以上備え、少なくとも広告シートの四隅には広告シート支持部材に対して着脱可能な取り付け部が設けられている請求項１に記載の広告シート部材。
【請求項３】
広告シートは通気性のメッシュよりなる請求項１または請求項２に記載の広告シート部材。
【請求項４】
請求項１から請求項３にいずれかに記載の広告シート部材を用いた広告方法であり、建造物に広告シート支持部材を固定し、広告を表わした広告シートの取り付け部を広告シート支持部材を介して建造物に取り付け、広告シートを水平面に対して４５度未満の角度で設置して上方に向けて広告を表示する広告方法。
【発明の詳細な説明】
【技術分野】
【０００１】
この発明は、上に向けて広告を表示するための広告部材および広告方法に関する。
【背景技術】
【０００２】
営業を行う者が、自己の業務について広告を表示するために看板を設置することは広く行われている。また、店舗の入り口近くの壁面に塗装などで広告が表示される。これらの広告方法においては、広告面は水平面に対して垂直に設けられ、地上にいるユーザが観察するようになっている。
【０００３】
これに対し、特許文献１には、建築構造物の上面へイメージを施すためのシステムとして、イメージを上空を飛行するクラフトから認識可能に配することが記載されている。これにより、飛行機の乗客に対してそのイメージを提示しようとする。具体的にはポンツーンという浮遊物を海上に設置し、その上面にイメージを表示する（同文献図８）。
【先行技術文献】
【特許文献】
【０００４】
【特許文献１】特開２００５−５１２１３２号公開公報
【発明の概要】
【発明が解決しようとする課題】
【０００５】
従来の看板などは広告面を垂直に設けるものであり、主に路上にいる者らに訴えるものである。しかし、店舗が多く出される商店街などは高層建築物が多く、店舗の近くにいる人しか見ることができない。そこで、多数の人に広く宣伝するために、新聞やテレビなどに宣伝広告を出すことになるが、これらの広告方法は高価である。また、テレビによる広告では、営業の内容を伝えることはできるが、店舗の場所を示すことは難しい。
【０００６】
一方、特許文献１の発明は、建築構造物の上面へイメージを施し、飛行機の乗客へ示すものである。しかし、飛行機は定まった航路を通るため、それ以外の場所では使用できない。また、通常運行時の高度では高過ぎるので、建築構造物の上面に施されたイメージを見ることができない。結局、空港付近に設けることにより、飛行機の離着陸時のわずかな時間に見えるのみである。そうすると、設置できるのは、滑走路の前後の限られた場所に限られるが、そのような場所に店舗などはあまり置かれないので、その発明で使用される建築構造物は広告を行うのみである。したがって、海上にポンツーンを浮遊させるような実施などに限定される。しかし、ポンツーンを海上に設置するには多額の費用がかかり、設置後の維持・管理のための負担も莫大である。しかも、飛行機は高速で移動するので、わずかな通過時間で乗客にどれだけの広告の印象を与えられるかは不明である。
【０００７】
この発明は、上方へ向けた広告の提示を簡単に行うことができる広告シート部材および広告方法を提供することを目的とする。
【課題を解決するための手段】
【０００８】
上記の課題を解決するために、この発明の広告シート部材は、建造物に固定される広告シート支持部材と、広告情報が表わされていて広告シート支持部材に取り付けられる広告シートを有し、広告シートが水平面に対して４５度未満の角度で設けられるものである。屋根に固定される広告シート支持部材を４以上備え、少なくとも広告シートの四隅には広告シート支持部材に対して着脱可能な取り付け部が設けられていることが好ましい。また、広告シートは通気性のメッシュよりなることが好ましい。
【０００９】
さらに、この発明の広告方法は、上述の広告シート部材を用いた広告方法であり、建造物に広告シート支持部材を固定し、広告を表わした広告シートの取り付け部を広告シート支持部材を介して建造物に取り付け、広告シートを水平面に対して４５度未満の角度で設置して上方に向けて広告を表示する。
【発明の効果】
【００１０】
この発明の広告シート部材および広告方法は、設置および変更が簡単であり、上方へ向けた広告の表示を低コストで実施することができる。この上方に表示された広告面を航空写真で撮影し、インターネットの地図検索で閲覧できるようにすることによって、広告シート部材の設置・保全以外の費用をかけることなく全世界に宣伝を行うことができ、閲覧者は広告内容とともにその位置を同時に認識することができる。
【図面の簡単な説明】
【００１１】
【図１】広告シート部材および広告方法の第１の形態の概要を示す斜視図である。
【図２】広告シートの設置角度を示す断面図である。
【図３】広告シート支持部材を示す正面図である。
【図４】同平面図である。
【図５】広告シートの取り付け状態を示す平面図である。
【図６】広告シートの角部を示す拡大平面図である。
【図７】同断面図である。
【図８】広告シート部材および広告方法の第２の形態を示す斜視図である。
【図９】同断面図である。
【図１０】広告シート部材および広告方法の第３の形態を示す断面図である。
【発明を実施するための形態】
【００１２】
本発明を実施するための形態について、図面に基づいて詳細に説明する。図１は、広告シート部材および広告方法の第１の形態の概要を示す斜視図である。
【００１３】
広告シート部材１００は建造物に固定される広告シート支持部材１と、広告シート支持部材１に対して着脱可能な取り付け部２２をその隅部に備えた広告シート２０を有する。この例においては、広告シート部材１００は全て建造物の屋根上に設置される。
【００１４】
図２は、広告シートの設置角度を示す断面図である。広告シート２０の表面には広告が表わされている。この広告面をなるべく水平に近く設置することが好ましい。このように広告面を上に受けることによって、上方から見ることができるようになる。特に、水平面と広告シートとの角度θが４５°未満であることが好ましく、３０°未満であれば航空写真における表示において有利であるのでさらに好ましい。
【００１５】
本形態における広告シート支持部材について説明する。ここでは広告シート支持部材は屋根の上に取り付けられるものであり、たとえば登録実用新案公報第３１５６１５９号に記載された屋根用シート固定部材などが使用できる。図３は広告シート支持部材を示す正面図、図４は同平面図である。
【００１６】
広告シート支持部材１は四角錐状の構造体であり、正方形の下部枠体２と、下部枠体２の各隅３と四角錐の頂点４を結ぶ斜辺材５と、頂点４付近に形成された屋根用シート取り付け部６を有する。
【００１７】
下部枠体２は、ここでは厚さ４．５ｍｍ、幅３２ｍｍの鋼板の帯状部材７を４枚組の組み合わせで形成されており、一辺の長さＢが５００ｍｍの正方形になっている。各隅３は帯状の帯状部材７同士の接続部になっており、厚さ１．６ｍｍの鋼板の補強板８によって補強されている。
【００１８】
ここでは、斜辺材５は外径２５．４ｍｍ、厚さ１．６ｍｍの鋼管を使用している。斜辺材５の下端は下部枠体２の各隅３に接続されており、この接続部にも補強板９が設けられている。また、４本の斜辺材５の上端同士は、下部枠体２の中心の上方にて接続され、この接続部にも補強板１０が設けられている。
【００１９】
こうして、正方形の下部枠体２と４本の斜辺材５により四角錐状の構造体が形成される。ここで、この四角錐の高さ、すなわち、下部枠体２に対する頂点４の高さＨと下部枠体２の一辺の長さＢは次の関係を満たすように設定されることが好ましい。
Ｈ＝２・Ｂ／π
ここで、πは円周率である。したがって、四角錐の斜辺の長さＬは次のようになる。
Ｌ＝√（Ｂ2／２＋Ｈ2）
こうして求められる斜辺の長さＬに基づいて斜辺材５の長さを定める。
【００２０】
このようにして形成される四角錐はいわゆるピラミッド構造の形状である。この形状により広告シート支持部材１は強固な構造物となる。頂点付近の広告シート取り付け部６に広告シートを取り付けたとき、頂点には様々な向きに引っ張る力がかかるが、この広告シート支持部材１は十分な耐久力を有する。
【００２１】
また、上述の例によると、下部枠体２の一辺の長さＢを５００ｍｍとしたとき、頂点の高さＨは３１９ｍｍとなり、広告シート取り付け部６を高い位置に設けることができる。下部枠体２の一辺の長さＢを５５２ｍｍとすると、頂点の高さＨは３５１ｍｍとなる。
【００２２】
ついで、広告シート支持部材１に広告シートを取り付ける例について説明する。図５は、広告シートの取り付け状態を示す平面図である。
【００２３】
この例では、屋根シート１１は、遮光用のメッシュシートを使用し、その表面にインクジェットにより広告内容を印刷している。大きさは、設置する屋根の形状や広告内容がなどに応じて適宜選択することができるが、特に広告面の縦横の寸法を大きくすることにより、航空写真において識別できるようになる。ここでは、長さ５ｍ、幅３．８ｍの大きさのものの例で説明する。
【００２４】
図６は広告シートの角部を示す拡大平面図であり、図７は同断面図である。広告シート２０は角部において４５度の角度の折り曲げ線で内側に折り込まれている。したがって、この折り曲げ線も辺として数えると八角形の形状である。折り込み部の内部には、折り曲げ線にそって直径１２ｍｍ、長さ３５０ｍｍの鉄筋２１が入れられている。そして、この鉄筋２１にはワイヤー押え２２が取り付けられる。ワイヤー押え２２は、鉄筋２１を収容することができる溝２２ａを有する一対の板材で、外周付近にはボルト取り付け穴２２ｂを有する。溝２２ａを鉄筋２１に合わせ、広告シート２０を挟むようにし、ボルト取り付け穴２２ｂにボルトを通して固定する。また、ワイヤー押え２２の中心付近には大きな穴２２ｃがあり、この部分は広告シート２０にも穴が形成されていて、シャックルなどの接続部材を通すことができるようになっている。ワイヤー押え２２の中心の穴２２ｃにシャックル２３を取り付け、さらにターンバックル２４およびシャックル２５を取り付けて広告シート取り付け部に接続している。ターンバックル２４の本体部の両端にメネジが設けられていて、これにアイボルトが取り付けられている。このアイボルトと本体部を相対的に回転させることにより、アイボルトは軸方向に進退するので、両アイボルトの環の距離を調整することができる。
【００２５】
ついで、広告シート２０の設置方法の例について説明する。まず、広告シート２０の四隅を固定すべき位置に広告シート支持部材１を取り付ける。スレート屋根に取り付ける場合、まず、架台２６を取り付ける。架台２６は略コの字状の断面を有する部材であり、厚さ１．６ｍｍのボンデ鋼板で形成され、溝部の幅および高さは８０ｍｍである。この架台２６をスレートの山線に沿ってかぶせ、ボルトによって固定する。各隅に２本の架台２６を平行に取り付ける。そして、この架台２６上に広告シート支持部材１をボルトによって固定する。
【００２６】
つぎに、この広告シート支持部材１に広告シート２０を取り付ける。広告シート２０の各角部にはワイヤー押え２２が取り付けられているので、このワイヤー押え２２にシャックル２３を取り付け、さらにターンバックル２４およびシャックル２５を取り付けて広告シート取り付け部に接続する。４つの角部をすべて接続したら、ターンバックル２４によって各部の長さを調整し、適切な張力が均等に加わるようにする。
【００２７】
なお、複数の広告シート２０を並べて設置し、より広い広告面を形成することもできる。たとえば、図５の下部に示すように、すでに設置されている広告シートのための広告シート支持部材を共用して、次の広告シートを取り付けることができる。したがって、新たな広告シート支持部材のためには２基の広告シート支持部材を追加すればよい。図３の左右方向にも広告シートを追加することができるので、１基の広告シート支持部材に４枚の広告シートの角部を固定することができる。連続した広告情報が示された複数の広告シートを隣接させて設置することにより、より大きな広告面を形成することができる。
【００２８】
以上、極めて簡単な作業で広告シート支持部材１を設置することができる。使用する部材も少なく、低コストで実施できる。広告シート２０は屋根の表面より３０ｃｍ以上離して設置できるので、広告シート２０の熱が屋根に伝わりにくく、良好な断熱効果が得られる。また、広告シート２０と屋根の表面の間の通気性も良好である。
【００２９】
広告シート２０に吹き付ける風の方向は一定でないので、広告シート支持部材１の頂点４には様々な方向の加重がかかる。しかし、この例の広告シート支持部材１はピラミッド状の形状を有するので構造的に強固であり、あらゆる方向から加わる力に対して十分な耐久力を有する。
【００３０】
広告シート２０の交換や撤去もシャックル２３の開閉により簡単に行うことができる。さらに、広告シート支持部材１も簡単に撤去することができる。
【００３１】
この広告シート部材１００を使用し、建造物に広告シート支持部材を固定し、広告を表わした広告シートの取り付け部を広告シート支持部材を介して建造物に取り付け、広告シートを水平面に対して４５度未満の角度で設置して、上方に向けて広告を行うことができる。十分な広さの屋根を有する建造物であれば、特に場所に関係なく実施することができる。この広告方法によって表わされる広告面は、たとえば、より高いビルの上階やタワーの展望台などから見ることができる。上方からの観察であれば、周囲により高い建築物があっても、支障なく見ることができる場合が多い。
【００３２】
また、近年はインターネットにおける地図検索のサービスにおいて航空写真も提示されるようになっている。一部の例外的な地域を除き、世界のほとんどの場所の航空写真が簡単に閲覧できる。そして、その解像度も相当に高く、大規模な建造物上に広告シート部材１００を設置すれば広告内容を判別することは既に可能である。ＩＴ技術の急速な進歩によりその解像度が向上すれば、より小さい建造物においても広告を航空写真で読み取ることができるようになる。
【００３３】
このように地図検索の航空写真において屋根に取り付けられた広告シートの公告を表示することにより、広告料を支払うことなく、全世界に向けて広告を出すことができる。地図検索のサービスで航空写真は表示されるので、閲覧者は広告が設置されている場所も容易に把握することができる。したがって、極めて効果の高い広告を行うことができる。航空写真のようにほぼ真上から見る場合、水平面に対する広告シートの角度は３０度未満であることが特に好ましい。
【００３４】
つぎに、この発明の第２の実施形態について説明する。図８は広告シート部材および広告方法の第２の形態の概要を示す斜視図、図９は同断面図である。この例においては、広告シート部材２０は建造物の側面に設けられる。
【００３５】
広告シート支持部材は、建物の側部に設けられた水平な棒状部材４０であり、その両端部を回転自在に支持されている。広告シート２０の上端部はこの棒状部材４０に接続されている。したがって、使用しないときは広告シートを棒状部材４０で巻きとって収納することができる。
【００３６】
広告シート２０の下端部には接続部材が設けられている。たとえば、ひもやリング状の部材を接続部材として使用することができる。広告シートを引き出し、地面に設けられたアンカー４１などに接続部材を取り付けることで、広告シート２０を広げた状態で固定することができる。このとき、広告シート２０は水平面に対して４５°未満の角度に設置される。このようにして、広告シート２０上の広告面を上方に向けることができる。したがって、広告情報を上部からの観察者に対して示すことができる。
【００３７】
図１０は広告シート部材および広告方法の第３の形態の概要を示す同断面図である。これは第２の形態の変形例である。所定の高さの支柱４２を設置し、この支柱の上端に広告シート２０の下端部を接続している。これにより、広告シート２０をより水平に近い状態に支持することができ、広告面を上方に向けることができる。このとき、広告シート２０はテントのような役目も果たし、下部に人が入る空間を形成する。
【符号の説明】
【００３８】
１．広告シート支持部材
６．広告シート取り付け部
２０．広告シート
２２．取り付け部
１００．広告シート部材
【図１】
2012194488.tif 000003
【図２】
2012194488.tif 000004
【図３】
2012194488.tif 000005
【図４】
2012194488.tif 000006
【図５】
2012194488.tif 000007
【図６】
2012194488.tif 000008
【図７】
2012194488.tif 000009
【図８】
2012194488.tif 000010
【図９】
2012194488.tif 000011
【図１０】
2012194488.tif 000012